(57)【要約】【課題】ユーザが意図しない第三者によって不正に操作されることを防止することができる端末装置等を提供すること。【解決手段】取得部１１０は、操作媒体２００に設けられた単数又は複数の識別情報を取得する。比較部１４２は、取得部１１０により取得した単数又は複数の識別情報と、記憶部１２０に記憶された単数又は複数の識別基礎情報と、を比較する。処理実行部１４１は、比較部１４２の比較結果に基づいて、単数又は複数の識別基礎情報に対応する所定の処理を実行する。【選択図】      図１
2015165360.tif 000002
【特許請求の範囲】
【請求項１】
操作媒体に設けられた単数又は複数の識別情報を取得する取得部と、
所定の処理を実行可能な処理実行部と、
前記所定の処理を実行させるための単数又は複数の識別基礎情報を前記所定の処理毎に対応付けて記憶する記憶部と、
前記単数又は複数の識別情報と、前記記憶部に記憶された前記単数又は複数の識別基礎情報と、を比較する比較部と、を有し、
前記処理実行部は、前記比較部の比較結果に基づいて、前記単数又は複数の識別基礎情報に対応する前記所定の処理を実行する端末装置。
【請求項２】
前記記憶部は、前記単数又は複数の識別基礎情報を、複数の前記所定の処理のうち、少なくとも１以上の所定の処理に対応付けて記憶する請求項１に記載の端末装置。
【請求項３】
前記記憶部に記憶される前記所定の処理と前記単数又は複数の識別基礎情報との対応関係を設定する設定部を有する請求項１又は２に記載の端末装置。
【請求項４】
前記取得部は、前記複数の識別情報を順次取得し、前記複数の識別情報を取得順に配列した組合せ識別情報を構成し、
前記記憶部は、前記複数の識別基礎情報を順次組み合わせた組合わせ識別基礎情報を、前記所定の処理毎に対応付けて記憶し、
前記比較部は、前記取得部により構成した前記組合わせ識別情報と、前記記憶部に記憶される前記組合わせ識別基礎情報とを比較し、
前記処理実行部は、前記比較部の比較結果に基づいて、前記組合せ識別基礎情報に対応する前記所定の処理を実行する請求項１から３のいずれか１項に記載の端末装置。
【請求項５】
前記所定の処理を実行させる命令を受け付ける操作部を有し、
前記比較部は、前記取得部により取得した前記単数又は複数の識別情報と、前記記憶部に記憶された前記単数又は複数の識別基礎情報のうち、前記操作部により受け付けられた命令に対応する所定の処理を実行させるための識別基礎情報と、を比較し、
前記処理実行部は、前記比較部の比較結果に基づいて、前記操作部により受け付けられた命令に対応する前記所定の処理を実行する請求項１から４のいずれか１項に記載の端末装置。
【請求項６】
前記操作媒体を収容する収容部を有し、
前記取得部は、前記収容部に前記操作媒体が収容されたとき、前記単数又は複数の識別情報を取得する請求項１から５のいずれか１項に記載の端末装置。
【請求項７】
前記取得部は、撮像装置であり、前記単数又は複数の識別情報を撮像することにより、前記単数又は複数の識別情報を取得する請求項１から６のいずれか１項に記載の端末装置。
【請求項８】
操作媒体に設けられた単数又は複数の識別情報を取得する取得ステップと、
前記取得ステップにより取得された前記単数又は複数の識別情報と、所定の処理を実行させるための単数又は複数の識別基礎情報を、前記所定の処理毎に対応付けて記憶する記憶部に記憶された前記単数又は複数の識別基礎情報と、を比較する比較ステップと、
前記比較ステップの比較結果に基づいて、前記単数又は複数の識別基礎情報に対応する前記所定の処理を実行する処理実行ステップと、を含む情報処理方法。
【発明の詳細な説明】
【技術分野】
【０００１】
本発明は、端末装置等に関し、例えば、操作媒体と共に使用され、所定の処理を実行する端末装置等に関する。
【背景技術】
【０００２】
近年、例えば、スマートフォンやタブレット端末等といった所定の処理を実行する端末装置が広く知られている。このような端末装置において、第三者によって端末装置が不正に操作されてしまうという問題があった。
【０００３】
また、例えば、ユーザがコンピュータウイルス付きの不正なアプリケーションを端末装置にインストールしてしまうことで、端末装置がコンピュータウイルスに感染してしまうことがあった。この場合も同様に、端末装置が、第三者によって不正に遠隔操作され、ユーザが意図しない動作を行ってしまうという問題があった。
【０００４】
上記に関連して、特許文献１には、操作媒体に保持された個人情報と、ユーザから情報処理装置に取り込んだ個人情報とを比較して認証処理を行い、個人情報が一致した場合に操作媒体による操作を受け付ける情報処理装置の技術が記載されている。
【先行技術文献】
【特許文献】
【０００５】
【特許文献１】特開２００３−２５６３７８号公報
【発明の概要】
【発明が解決しようとする課題】
【０００６】
しかしながら、特許文献１に記載の技術は、操作媒体による操作のみ認証処理の対象としているため、操作媒体を用いない機能（例えば、アプリケーションのダウンロード、電話発信、インターネット接続等）は認証処理の対象でない。そのため、端末装置が第三者によって不正に操作されるという問題を完全に解決することはできなかった。
【０００７】
本発明は、このような事情を鑑みてなされたものであり、本発明の目的は、ユーザが意図しない第三者によって不正に操作されることを防止することができる端末装置等を提供することにある。
【課題を解決するための手段】
【０００８】
本発明の端末装置は、操作媒体に設けられた単数又は複数の識別情報を取得する取得部と、所定の処理を実行可能な処理実行部と、前記所定の処理を実行させるための単数又は複数の識別基礎情報を前記所定の処理毎に対応付けて記憶する記憶部と、前記単数又は複数の識別情報と、前記記憶部に記憶された前記単数又は複数の識別基礎情報と、を比較する比較部と、を有し、前記処理実行部は、前記比較部の比較結果に基づいて、前記単数又は複数の識別基礎情報に対応する前記所定の処理を実行する。
【０００９】
また、本発明の情報処理方法は、操作媒体に設けられた単数又は複数の識別情報を取得する取得ステップと、前記取得ステップにより取得された前記単数又は複数の識別情報と、所定の処理を実行させるための単数又は複数の識別基礎情報を、前記所定の処理毎に対応付けて記憶する記憶部に記憶された前記単数又は複数の識別基礎情報と、を比較する比較ステップと、前記比較ステップの比較結果に基づいて、前記単数又は複数の識別基礎情報に対応する前記所定の処理を実行する処理実行ステップと、を含む。
【発明の効果】
【００１０】
本発明にかかる端末装置等によれば、ユーザが意図しない第三者によって不正に操作されることを防止することができる。
【図面の簡単な説明】
【００１１】
【図１】本発明の第１の実施の形態における端末装置の構成を示すブロック図である。
【図２】本発明の第１の実施の形態における端末装置と共に使用される操作媒体の一例を示す図である。
【図３】本発明の第１の実施の形態における端末装置の記憶部に記憶される所定の処理と単数又は複数の識別基礎情報との対応関係の一例を示す図である。
【図４】本発明の第１の実施の形態における端末装置の動作フローを示す図である。
【図５】本発明の第１の実施の形態における端末装置の変形例である端末装置の構成を示すブロック図である。
【図６】本発明の第１の実施の形態における端末装置の変形例である端末装置の動作フローを示す図である。
【図７】操作媒体に設けられた単数又は複数の識別情報の変形例を示す図である。
【図８】操作媒体に設けられた単数又は複数の識別情報の変形例を示す図である。
【図９】本発明の第２の実施の形態における端末装置の構成を示すブロック図である。
【図１０】本発明の第２の実施の形態における端末装置の構成を示す透過斜視図である。
【図１１】本発明の第２の実施の形態における端末装置の収容部に、操作媒体が収容されたときの動作フローを示す図である。
【図１２】操作媒体の変形例である操作媒体を説明するための図である。
【図１３】本発明の第２の実施の形態における端末装置の変形例である端末装置の構成を示す図である。
【図１４】本発明の第３の実施の形態における端末装置の構成を示すブロック図である。
【図１５】本発明の第３の実施の形態における端末装置の動作フローを示す図である。
【発明を実施するための形態】
【００１２】
＜第１の実施の形態＞
図１は、本発明の第１の実施の形態における端末装置１００の構成を示すブロック図である。図２は、操作媒体２００を示す図である。
【００１３】
説明の便宜上、端末装置１００の構成を説明する前に、まず、図２を用いて、操作媒体２００について説明する。
【００１４】
図２は、端末装置１００と共に使用される操作媒体２００の一例を示す図である。図２（ａ）は、操作媒体２００の正面斜視図である。図２（ｂ）は、操作媒体２００の背面斜視図である。
【００１５】
操作媒体２００は、端末装置１００と共に使用される。操作媒体２００は、例えば、端末装置１００を操作するために用いられるスタイラスペン、タッチペン等の入力用ペンである。但し、操作媒体２００は、端末装置１００と共に使用されるものであれば、入力用ペンに限定されない。
【００１６】
ここでは、図２に示されるように、操作媒体２００が、入力用ペンである例を示している。
【００１７】
また、操作媒体２００には、複数の識別情報が設けられている例を示している。
【００１８】
図２（ａ）では、識別情報として文字列「Ａ」が操作媒体２００の外周側面である面１に印刷され、識別情報として文字列「Ｂ」が操作媒体２００の外周側面である面２に印刷されている例を示している。図２（ｂ）では、識別情報として文字列「Ｃ」が操作媒体２００の外周側面である面３に印刷されている例を示している。
【００１９】
なお、操作媒体２００に設けられる単数又は複数の識別情報は、文字列に限らず、後述する端末装置１００の取得部１１０が取得可能な情報であれば良い。従って、操作媒体２００に設けられる単数又は複数の識別情報は、例えば、操作媒体２００の表面における凹凸パターン等で表現される情報であってもよい。
【００２０】
ここでは、操作媒体２００に設けられる識別情報の数が３つの例を示しているが、２つでもよく、４つ以上であってもよい。また、操作媒体２００に設けられる識別情報の数は１つ（単数）であってもよい。
【００２１】
単数又は複数の識別情報は、例えば、操作媒体２００の製造段階において操作媒体２００に設けられる。また、例えば、単数又は複数の識別情報は、操作媒体２００毎に各々異なるものとする。
【００２２】
次に、図１を用いて、端末装置１００の詳細な構成を説明する。
【００２３】
端末装置１００は、例えば、スマートフォン、タブレット端末、ゲーム機等の携帯端末である。
【００２４】
図１に示されるように、端末装置１００は、取得部１１０と、記憶部１２０と、設定部１３０と、制御部１４０とを有して構成されている。
【００２５】
図１に示されるように、取得部１１０は、制御部１４０に接続されている。取得部１１０は、カメラ等の撮像装置であり、操作媒体２００に設けられた単数又は複数の識別情報を撮像することにより、単数又は複数の識別情報を取得する。但し、取得部１１０は、撮像装置に限定されない。
【００２６】
図１に示されるように、記憶部１２０は、制御部１４０に接続されている。記憶部１２０は、所定の処理を実行させるための単数又は複数の識別基礎情報を、所定の処理毎に対応付けて記憶している。
【００２７】
単数又は複数の識別基礎情報は、操作媒体２００に設けられる単数又は複数の識別情報に対応する。
【００２８】
なお、記憶部１２０は、単数又は複数の識別基礎情報に加えて、取得部１１０により取得した単数又は複数の識別情報も記憶する。
【００２９】
また、記憶部１２０は、複数の識別基礎情報を順次組み合わせた組合わせ識別基礎情報を、所定の処理毎に対応付けて記憶する。
【００３０】
ここで、図３を用いて、記憶部１２０に記憶される所定の処理と単数又は複数の識別基礎情報との対応関係について説明する。図３は、記憶部１２０に記憶される所定の処理と単数又は複数の識別基礎情報との対応関係の一例を示す図である。
【００３１】
また、図３を用いて、記憶部１２０に記憶される所定の処理と組合せ識別基礎情報との対応関係についても説明する。
【００３２】
図３に示す（１）では、所定の処理「アプリケーションＡ起動」を実行させるための識別基礎情報として文字列「Ａ」が、所定の処理「アプリケーションＡ起動」に対応付けられて記憶されている場合を示している。
【００３３】
また、図３に示す（１）では、比較の有無「あり」が設定されている。比較の有無「あり」とは、所定の処理「アプリケーションＡ起動」に対応付けられた識別基礎情報の文字列「Ａ」が、後述する比較部１４２による比較の対象となることを表す。
【００３４】
図３に示す（２）及び（５）については、上述した（１）と同様のため説明を省略する。
【００３５】
図３に示す（３）では、所定の処理「アプリケーションＣ起動」に識別基礎情報が対応付けられていない場合を示している。また、（３）では、所定の処理「アプリケーションＣ起動」に識別基礎情報が対応付けられていないため、比較の有無「なし」が設定されている。
【００３６】
図３に示す（４）については、上述した（３）と同様のため説明を省略する。
【００３７】
図３に示す（６）では、複数の識別基礎情報（文字列「Ａ」、「Ｂ」及び「Ｃ」）を順次組み合わせた組合わせ識別基礎情報として文字列「ＡＢＣ」が、所定の処理「インターネット接続」に対応付けて記憶されている場合を示している。
【００３８】
図３に示す（７）については、上述した（６）と同様のため説明を省略する。
【００３９】
このように、記憶部１２０は、単数又は複数の識別基礎情報（図中文字列「Ａ」、「Ｂ」及び「Ｃ」）及び組合せ識別基礎情報（図中文字列「ＡＢＣ」及び「ＢＣＡ」）を、複数の所定の処理（ここでは、図中（１）〜（７）における各々の所定の処理）のうち、少なくとも１以上の所定の処理（ここでは、図中（１）、（２）及び（５）〜（７）における各々の所定の処理）に対応付けて記憶する。
【００４０】
なお、例えば、後述する設定部１３０をユーザが操作することにより、複数の所定の処理のうち、少なくとも１以上の所定の処理を、ユーザが任意に設定できるようにしてもよい。
【００４１】
また、図３に示した所定の処理と単数又は複数の識別基礎情報及び組合せ識別基礎情報との各々の対応関係は、後述する表示部１５０を用いてユーザに表示提供することができる。
【００４２】
そして、図３に示した所定の処理と単数又は複数の識別基礎情報及び組合せ識別基礎情報との各々の対応関係は、例えば、製造段階で予め設定されるものとする。但し、次に説明するように、所定の処理と単数又は複数の識別基礎情報及び組合せ識別基礎情報との各々の対応関係は、設定部１３０により任意に設定可能である。
【００４３】
図１に戻って、設定部１３０は、制御部１４０に接続されている。設定部１３０は、記憶部１２０に記憶される所定の処理と単数又は複数の識別基礎情報との対応関係を設定する。
【００４４】
また、設定部１３０は、記憶部１２０に記憶される所定の処理と組合せ識別基礎情報との対応関係も設定する。
【００４５】
例えば、設定部１３０は、図３の（１）の所定の処理「アプリケーションＡ起動」に対応付けられている識別基礎情報の文字列「Ａ」を、識別基礎情報の文字列「Ｂ」として新たに設定することができる。所定の処理と単数又は複数の識別基礎情報との対応関係は、ユーザが設定部１３０を操作することにより設定できるものとする。
【００４６】
図１に示されるように、制御部１４０は、取得部１１０、記憶部１２０、設定部１３０及び表示部１５０にそれぞれ接続されている。制御部１４０は、端末装置１００の全体を制御する。
【００４７】
制御部１４０は、取得部１１０により取得される単数又は複数の識別情報を、記憶部１２０に記憶させる。また、制御部１４０は、記憶部１２０から単数又は複数の識別情報と単数又は複数の識別基礎情報とを取得する。
【００４８】
そして、制御部１４０は、設定部１３０により設定された設定結果を記憶部１２０に出力する。制御部１４０は、記憶部１２０に記憶される所定の処理と単数又は複数の識別基礎情報との対応関係を、表示部１５０に出力する。
【００４９】
また、図１に示されるように、制御部１４０は、処理実行部１４１と比較部１４２とを含んで構成されている。
【００５０】
処理実行部１４１は、所定の処理を実行する。ここでいう所定の処理とは、例えば、前述した図３に示した（１）〜（７）における各々の所定の処理である。
【００５１】
また、処理実行部１４１は、後述する比較部１４２の比較結果に基づいて、単数又は複数の識別基礎情報に対応する所定の処理を実行する。処理実行部１４１の具体的な動作については図４を用いて後述する。
【００５２】
比較部１４２は、取得部１１０により取得した単数又は複数の識別情報と、記憶部１２０に記憶された単数又は複数の識別基礎情報とを比較する。比較部１４２の具体的な動作については図４を用いて後述する。
【００５３】
図１に示されるように、表示部１５０は、制御部１４０に接続されている。表示部１５０は、図３に示した記憶部１２０に記憶される所定の処理と単数又は複数の識別基礎情報との対応関係を、当該表示部１５０の表示画面に表示提供する。
【００５４】
表示部１５０は、例えば、液晶ディスプレイ等の表示装置である。また、表示部１５０は、端末装置１００の各種機能に応じた情報を表示提供する。
【００５５】
次に、図４を用いて、端末装置１００の動作を説明する。図４は、端末装置１００の動作フローを示す図である。
【００５６】
まず、図４に示されるように、取得部１１０は、操作媒体２００に設けられた単数又は複数の識別情報を取得する（ステップ（以下、Ｓとする）１１０）。
【００５７】
ここでは、取得部１１０が、操作媒体２００に設けられた識別情報である文字列「Ａ」を取得するものとする。
【００５８】
次に、記憶部１２０が、取得部１１０により取得した単数又は複数の識別情報（文字列「Ａ」）を記憶する（Ｓ１２０）。
【００５９】
そして、制御部１４０が、取得部１１０により取得され且つ記憶部１２０に記憶された単数又は複数の識別情報（文字列「Ａ」）と、記憶部１２０に記憶され所定の処理に対応付けられた単数又は複数の識別基礎情報とを取得する（Ｓ１３０）。
【００６０】
なお、所定の処理と単数又は複数の識別基礎情報との対応関係については、図３を用いて説明した通りである。
【００６１】
比較部１４２が、取得部１１０により取得された単数又は複数の識別情報（文字列「Ａ」）と、所定の処理に対応付けられた単数又は複数の識別基礎情報とを比較する（Ｓ１４０）。
【００６２】
そして、比較部１４２は、単数又は複数の識別情報（文字列「Ａ」）と、所定の処理に対応付けられた単数又は複数の識別基礎情報とが一致するか否かを判断する（Ｓ１５０）。
【００６３】
単数又は複数の識別情報（文字列「Ａ」）と、所定の処理に対応付けられた単数又は複数の識別基礎情報とが一致する場合（Ｓ１５０、ＹＥＳ）、処理実行部１４１が、比較部１４２により比較した単数又は複数の識別基礎情報に対応する所定の処理を実行する（Ｓ１６０）。そして、処理実行部１４１は、所定の処理を実行後に動作を終了する。
【００６４】
ここでは、取得部１１０により取得した識別情報（文字列「Ａ」）と、図３に示す（１）における識別基礎情報（文字列「Ａ」）とが一致する。従って、処理実行部１４１は、識別基礎情報（文字列「Ａ」）に対応する所定の処理「アプリケーションＡ起動」を実行する。
【００６５】
一方、単数又は複数の識別情報（文字列「Ａ」）と、所定の処理に対応付けられた単数又は複数の識別基礎情報とが一致しない場合（Ｓ１５０、ＮＯ）、処理実行部１４１は、何も処理を行わずに動作を終了する。
【００６６】
なお、Ｓ１１０において、例えば、取得部１１０が単数又は複数の識別情報を取得できなかった場合、端末装置１００は、Ｓ１２０以降の処理を行わずに動作を終了するものとしてもよい。
【００６７】
また、Ｓ１２０〜Ｓ１６０の処理のような認証処理をユーザが任意にＯＮ又はＯＦＦに設定できる機能を、端末装置１００が有するものとしてもよい。
【００６８】
そして、Ｓ１１０の処理の後、ユーザにより認証処理がＯＦＦに設定されている場合、端末装置１００は、Ｓ１２０以降の処理を行わずに動作を終了するものとしてもよい。
【００６９】
また、Ｓ１２０の処理において記憶部１２０に記憶され、取得部１１０により取得した単数又は複数の識別情報は、Ｓ１４０の処理の後、記憶部１２０から削除されるものとしてもよい。
【００７０】
次に、図５を用いて、端末装置１００の変形例である端末装置１００Ａについて説明する。図５は、端末装置１００の変形例である端末装置１００Ａの構成を示すブロック図である。
【００７１】
ここでは、特に、端末装置１００Ａの取得部１１０Ａ、処理実行部１４１Ａ及び比較部１４２Ａについて説明する。端末装置１００Ａにおける取得部１１０Ａ、処理実行部１４１Ａ及び比較部１４２Ａ以外の各構成要素については、図１で示した端末装置１００と同等のためその説明を省略する。
【００７２】
取得部１１０Ａは、操作媒体２００に設けられた複数の識別情報を順次取得し、複数の識別情報を取得順に配列した組合せ識別情報を構成する。この組合せ識別情報は、記憶部１２０により記憶される。
【００７３】
前述したように、記憶部１２０は、複数の識別基礎情報を順次組み合わせた組合わせ識別基礎情報を、所定の処理毎に対応付けて記憶する。
【００７４】
比較部１４２Ａは、取得部１１０Ａにより構成した組合せ識別情報と、記憶部１２０に記憶される組合せ識別基礎情報とを比較する。
【００７５】
処理実行部１４１Ａは、比較部１４２Ａの比較結果に基づいて、組合せ識別基礎情報に対応する所定の処理を実行する。
【００７６】
次に、図６を用いて、端末装置１００Ａの動作を説明する。図６は、端末装置１００の変形例である端末装置１００Ａの動作フローを示す図である。
【００７７】
まず、図６に示されるように、取得部１１０Ａは、操作媒体２００に設けられた複数の識別情報を順次取得する（Ｓ２１０）。
【００７８】
ここでは、取得部１１０Ａは、操作媒体２００に設けられた識別情報である文字列「Ａ」を最初に取得し、次いで文字列「Ｂ」、最後に文字列「Ｃ」を取得するものとする。
【００７９】
次に、取得部１１０Ａは、複数の識別情報を取得順に配列した組合せ識別情報（文字列「ＡＢＣ」）を構成する（Ｓ２２０）。
【００８０】
そして、記憶部１２０が、Ｓ２２０の処理により構成された組合せ識別情報（文字列「ＡＢＣ」）を記憶する（Ｓ２３０）。
【００８１】
次に、制御部１４０Ａが、取得部１１０Ａにより構成され且つ記憶部１２０に記憶された組合せ識別情報（文字列「ＡＢＣ」）と、記憶部１２０に記憶され所定の処理に対応付けられた組合せ識別基礎情報とを取得する（Ｓ２４０）。
【００８２】
なお、所定の処理と組合わせ識別基礎情報との対応関係については、図３を用いて説明した通りである。
【００８３】
比較部１４２Ａが、取得部１１０Ａにより構成した組合わせ識別情報（文字列「ＡＢＣ」）と、所定の処理に対応付けられた組合わせ識別基礎情報とを比較する（Ｓ２５０）。
【００８４】
そして、比較部１４２Ａは、組合わせ識別情報（文字列「ＡＢＣ」）と、所定の処理に対応付けられた組合せ識別基礎情報とが一致するか否かを判断する（Ｓ２６０）。
【００８５】
組合わせ識別情報（文字列「ＡＢＣ」）と、所定の処理に対応付けられた組合せ識別基礎情報とが一致する場合（Ｓ２６０、ＹＥＳ）、処理実行部１４１Ａが、比較部１４２Ａにより比較した組合せ識別基礎情報に対応する所定の処理を実行する（Ｓ２７０）。そして、処理実行部１４１Ａは、所定の処理を実行後に動作を終了する。
【００８６】
ここでは、取得部１１０Ａにより構成された組合せ識別情報（文字列「ＡＢＣ」）と、図３に示す（６）における組合せ識別基礎情報（文字列「ＡＢＣ」）とが一致する。従って、処理実行部１４１Ａは、組合せ識別基礎情報（文字列「ＡＢＣ」）に対応する所定の処理「インターネット接続」を実行する。
【００８７】
一方、組合わせ識別情報（文字列「ＡＢＣ」）と、所定の処理に対応付けられた組合せ識別基礎情報とが一致しない場合（Ｓ２６０、ＮＯ）、処理実行部１４１Ａは、何も処理を行わずに動作を終了する。
【００８８】
次に、図７及び７を用いて、操作媒体２００に設けられた単数又は複数の識別情報の変形例について説明する。
【００８９】
図７及び７は、操作媒体２００に設けられた単数又は複数の識別情報の変形例を示す図である。
【００９０】
図７（ａ）は、操作媒体２００に設けられた単数又は複数の識別情報の変形例を説明するための図である。図７（ｂ）は、操作媒体２００に設けられた単数又は複数の識別情報の変形例の一例を示す図である。なお、図７では、操作媒体２００を省略して示している。
【００９１】
前述したように、図２では、識別情報として、操作媒体２００に印刷された文字列「Ａ」、「Ｂ」及び「Ｃ」を用いていた。これに対して、図７（ａ）では、識別情報の変形例として、操作媒体２００に印刷された文字列１〜２１のブロックを用いている。
【００９２】
図７（ｂ）に示されるように、操作媒体２００の外周側面である面１〜３には、文字列１〜２１のブロックが印刷されている。
【００９３】
また、図７（ｂ）に示されるように、文字列１〜２１のブロックのうち、いくつかのブロック（例えば、面１では文字列１、４、６、８、１０〜１２、１４、１６〜１８及び２１）上には丸の記号が印刷されている。
【００９４】
この場合、取得部１１０は、操作媒体２００の外周側面である面１〜３の各々に設けられた文字列１〜２１のブロックを撮像する。そして、取得部１１０は、各面において、文字列１〜２１のブロックのうち、丸の記号が設けられた文字列のブロックを識別する。取得部１１０は、この丸の記号が設けられた文字列のブロックの情報を用いて識別情報を取得する。
【００９５】
具体的には、取得部１１０は、文字列１〜２１のブロックのうち、丸の記号が設けられた文字列のブロックを「１」、丸の記号が設けられていない文字列のブロックを「０」と判別する。
【００９６】
そして、取得部１１０は、文字列の数字が小さいブロックから順に、「０」と「１」を配列し、２進数の符号に変換し、この２進数の符号を識別情報として取得する。
【００９７】
例えば、取得部１１０は、図７（ｂ）の面１において、「１００１０１０１０１１１０１０１１１００１」という２進数の符号を取得する。
【００９８】
また、図３を用いて説明した場合と同様に、記憶部１２０は、上記識別情報に対応する識別基礎情報を、所定の処理毎に対応付けて記憶している。
【００９９】
また、図８に示されるように、文字列１〜２１の各ブロックは、文字列Ａ〜Ｘのブロックにより構成されるようにしてもよい。この場合、文字列１〜２１の各ブロックにおいて、文字列Ａ〜Ｘのブロックのうち、一定数（例えば、５個以上）のブロックに丸の記号が印刷されているとき、取得部１１０は、当該文字列１〜２１のブロックに丸の記号が印刷されていると識別する。
【０１００】
以上に説明したように、本発明の第１の実施の形態における端末装置１００は、取得部１１０と、記憶部１２０と、処理実行部１４１と、比較部１４２と、を有する。
【０１０１】
取得部１１０は、操作媒体２００に設けられた単数又は複数の識別情報を取得する。
【０１０２】
記憶部１２０は、所定の処理を実行させるための単数又は複数の識別基礎情報と所定の処理毎に対応付けて記憶する。
【０１０３】
比較部１４２は、取得部１１０により取得した単数又は複数の識別情報と、記憶部１２０に記憶された単数又は複数の識別基礎情報と、を比較する。
【０１０４】
処理実行部１４１は、所定の処理を実行可能であり、比較部１４２の比較結果に基づいて、単数又は複数の識別基礎情報に対応する所定の処理を実行する。
【０１０５】
このように、端末装置１００は、比較部１４２の比較結果に基づいて、単数又は複数の識別基礎情報に対応する所定の処理を実行する。このため、端末装置１００の所定の処理を実行するためには、当該所定の処理に対応付けられた識別基礎情報と、操作媒体２００から取得した識別情報とを比較する必要がある。
【０１０６】
従って、例えば、端末装置１００がコンピュータウイルスに感染したとしても、端末装置１００は、ユーザが意図しない第三者によって不正に遠隔操作され、所定の処理を実行されることがない。
【０１０７】
また、例えば、ユーザが意図しない第三者が操作媒体２００とは別の操作媒体を使用したとしても、別の操作媒体の識別情報は、操作媒体２００の識別情報と異なる。そのため、端末装置１００は、ユーザが意図しない第三者によって不正に直接操作されることがない。
【０１０８】
すなわち、端末装置１００は、ユーザが意図しない第三者によって不正に操作されることを防止することができる。
【０１０９】
また、本発明の第１の実施の形態における端末装置１００において、記憶部１２０は、単数又は複数の識別基礎情報を、複数の所定の処理のうち、少なくとも１以上の所定の処理に対応付けて記憶する。
【０１１０】
これにより、識別基礎情報が対応付けられた所定の処理については、ユーザが意図しない第三者により不正に操作され当該所定の処理を実行されることがない。一方、識別基礎情報が対応付けられていない所定の処理については、ユーザに加えてユーザ以外の第三者による操作も受け付ける。
【０１１１】
従って、端末装置１００は、ユーザの使用目的に応じて、第三者によって不正に操作されることを防止することができる。
【０１１２】
また、本発明の第１の実施の形態における端末装置１００は、記憶部１２０に記憶される所定の処理と単数又は複数の識別基礎情報との対応関係を設定する設定部１３０を有する。
【０１１３】
これにより、ユーザが、記憶部１２０に記憶される所定の処理と単数又は複数の識別基礎情報との対応関係を任意に設定することができる。従って、端末装置１００は、ユーザが意図しない第三者によって不正に操作されることをより効果的に防止することができる。
【０１１４】
また、本発明の第１の実施の形態における端末装置１００の変形例である端末装置１００Ａにおいて、取得部１１０Ａは、複数の識別情報を順次取得し、複数の識別情報を取得順に配列した組合せ識別情報を構成する。
【０１１５】
記憶部１２０は、複数の識別基礎情報を順次組み合わせた組合わせ識別基礎情報を、所定の処理毎に対応付けて記憶する。
【０１１６】
比較部１４２Ａは、取得部１１０Ａにより構成した組合せ識別情報と、記憶部１２０に記憶される組合せ識別基礎情報とを比較する。
【０１１７】
処理実行部１４１Ａは、比較部１４２Ａの比較結果に基づいて、組合せ識別基礎情報に対応する所定の処理を実行する。
【０１１８】
このように、比較部１４２Ａは、取得部１１０Ａにより構成した組合せ識別情報と、記憶部１２０に記憶される組合せ識別基礎情報とを比較する。これにより、複数の識別情報を取得した順序も比較部１４２Ａによる比較の対象となる。従って、端末装置１００Ａは、ユーザが意図しない第三者によって不正に操作されることをより効果的に防止することができる。
【０１１９】
また、本発明の第１の実施の形態における端末装置１００において、取得部１１０は、撮像装置であり、単数又は複数の識別情報を撮像することにより、単数又は複数の識別情報を取得する。
【０１２０】
例えば、端末装置１００が無線通信により操作媒体２００から識別情報を取得する場合、操作媒体２００及び端末装置１００は無線通信機能を有する必要が有る。これに対して、取得部１１０が撮像装置である場合、操作媒体２００及び端末装置１００は必ずしも無線通信機能を有する必要が無い。
【０１２１】
従って、操作媒体２００及び端末装置１００の低コスト化や小型化を図ることができる。
【０１２２】
また、例えば、端末装置１００に所定の機能（例えば、写真撮影等）を実現するために予め撮像装置が設けられていた場合、端末装置１００の低コスト化や小型化をより一層図ることができる。
【０１２３】
また、本発明の第１の実施の形態における情報処理方法は、取得ステップと、比較ステップと、処理実行ステップとを含む。
【０１２４】
取得ステップは、操作媒体２００に設けられた単数又は複数の識別情報を取得する。比較ステップは、取得ステップにより取得された単数又は複数の識別情報と、所定の処理を実行させるための単数又は複数の識別基礎情報を、所定の処理毎に対応付けて記憶する記憶部１２０に記憶された単数又は複数の識別基礎情報と、を比較する。
【０１２５】
処理実行ステップは、比較ステップの比較結果に基づいて、単数又は複数の識別基礎情報とに対応する所定の処理を実行する。
【０１２６】
この情報処理方法は、上述した端末装置１００の物の発明を方法の発明としたものであるから、上述した端末装置１００と同様の作用効果を奏する。
【０１２７】
＜第２の実施の形態＞
図９及び１０を用いて、本発明の第２の実施の形態における端末装置１００Ｂの詳細な構成を説明する。
【０１２８】
図９は、端末装置１００Ｂの構成を示す透過斜視図である。また、図９は、端末装置１００Ｂが操作媒体２００を収容した状態を示す図である。図９では、端末装置１００Ｂの記憶部１２０、設定部１３０、制御部１４０及び表示部１５０の図示を省略している。
【０１２９】
図１０は、端末装置１００Ｂの構成を示すブロック図である。また、図１０では、収容部１６０の図示を省略している。なお、図９及び１０では、図１〜８で付した符号と同等の符号を付している。
【０１３０】
図９及び１０に示されるように、端末装置１００Ｂは、取得部１１０Ｂと、記憶部１２０と、設定部１３０と、制御部１４０と、表示部１５０と、収容部１６０と、検出部１７０とを有して構成されている。
【０１３１】
ここで、図１と図９及び１０を対比する。図９及び１０では、端末装置１００Ｂは、収容部１６０と、検出部１７０とを更に備えた点で、図１に示される端末装置１００と互いに相違する。以下の説明では、図１で示した構成と同等の構成については説明を省略する。
【０１３２】
図９に示されるように、収容部１６０は、操作媒体２００を収容する。
【０１３３】
図１０に示されるように、検出部１７０は、制御部１４０に接続されている。検出部１７０は、操作媒体２００が収容部１６０に収容されたことを検出する。
【０１３４】
検出部１７０は、例えば、収容部１６０内に設けられたスイッチ（不図示）を用いて、操作媒体２００が収容部１６０に収容されたことを検出する。
【０１３５】
より具体的には、操作媒体２００が収容部１６０に収容されたとき、操作媒体２００によってスイッチが押下され、制御信号がＨｉｇｈ（又はＬｏｗ）になる。一方、収容部１６０に収容された操作媒体２００が、収容部１６０から抜かれたとき、スイッチが開放され、制御信号がＬｏｗ（又はＨｉｇｈ）になる。
【０１３６】
検出部１７０は、この制御信号のＨｉｇｈ又はＬｏｗの変化を検出することにより、操作媒体２００が収容部１６０に収容されたか否かを検出する。
【０１３７】
また、検出部１７０の検出結果は、制御部１４０を介して、取得部１１０Ｂに出力される。
【０１３８】
取得部１１０Ｂは、収容部１６０に操作媒体２００が収容されたとき、単数又は複数の識別情報を取得する。
【０１３９】
ここでは、取得部１１０Ｂは、収容部１６０に操作媒体２００が収容されたことを、検出部１７０の検出結果により判断するものとする。
【０１４０】
また、図９に示されるように、取得部１１０Ｂは、例えば、収容部１６０内に設けられる。このとき、取得部１１０Ｂは、操作媒体２００を収容部１６０に収容した状態で、単数又は複数の識別情報を取得できる位置に設けられるものとする。
【０１４１】
また、取得部１１０Ｂが撮像装置であり且つ収容部１６０内に設けられているとき、取得部１１０Ｂに例えばフラッシュ等のライト機能を実装することが望ましい。
【０１４２】
これにより、収容部１６０内が暗くとも、取得部１１０Ｂは、操作媒体２００に設けられた単数又は複数の識別情報をより容易に取得することができる。
【０１４３】
次に、図１１を用いて、端末装置１００Ｂの収容部１６０に、操作媒体２００が収容されたときの動作を説明する。図１１は、端末装置１００Ｂの収容部１６０に、操作媒体２００が収容されたときの動作フローを示す図である。
【０１４４】
ここでは、前述したように、取得部１１０Ｂは、収容部１６０に操作媒体２００が収容されたことを、検出部１７０の検出結果により判断するものとする。
【０１４５】
また、ここでは、第１の実施の形態における取得部１１０と同様に、取得部１１０Ｂは、操作媒体２００に設けられた識別情報である文字列「Ａ」を取得するものとする。
【０１４６】
まず、図１１に示されるように、検出部１７０が、収容部１６０に操作媒体２００が収容されたことを検出する（Ｓ３１０）。なお、前述したように、検出部１７０の検出結果は、制御部１４０を介して、取得部１１０Ｂに出力される。
【０１４７】
次に、取得部１１０Ｂは、検出部１７０の検出結果を受け、操作媒体２００に設けられた単数又は複数の識別情報（文字列「Ａ」）を取得する（Ｓ３２０）。
【０１４８】
以降、端末装置１００Ｂは、図４のＳ１２０以降の処理を行う。
【０１４９】
なお、端末装置１００Ｂにおいて、図４のＳ１２０以降に操作媒体２００が収容部１６０から取り外された際、記憶部１２０に記憶された単数又は複数の識別情報は削除されるものとしてもよい。
【０１５０】
これにより、操作媒体２００が収容部１６０に収容されている場合のみ、比較部１４２による比較が行われるので、端末装置１００Ｂは、ユーザが意図しない第三者によって不正に操作されることをより効果的に防止することができる。
【０１５１】
次に、端末装置１００Ｂの変形例である端末装置１００Ｃについて説明する。
【０１５２】
端末装置１００Ｂの変形例である端末装置１００Ｃについて説明する前に、まず、図１２を用いて、操作媒体２００の変形例である操作媒体２００Ａについて説明する。
【０１５３】
図１２は、操作媒体２００の変形例である操作媒体２００Ａを説明するための図である。図１２（ａ）は、操作媒体２００Ａの正面斜視図である。図１２（ｂ）は、操作媒体２００Ａの俯瞰図である。
【０１５４】
図１２に示されるように、操作媒体２００Ａは、凸部２０１〜２０４を有する。
【０１５５】
ここで、図２（ａ）と図１２（ａ）とを対比する。図１２（ａ）では、操作媒体２００Ａは、凸部２０１〜２０４を更に有する点で、図２（ａ）の操作媒体２００と互いに相違する。以下の説明では、図２で示した構成と同等の構成については、説明を省略する。
【０１５６】
図１２に示されるように、凸部２０１〜２０４は、操作媒体２００Ａにそれぞれ設けられる。凸部２０１〜２０４の各々は、後述する端末装置１００Ｃの凹部１６１〜１６４の各々にそれぞれ対応する。そして、凸部２０１〜２０４の各々は、凹部１６１〜１６４の各々とそれぞれ嵌合する。
【０１５７】
次に、図１３を用いて、端末装置１００Ｂの変形例である端末装置１００Ｃの構成について説明する。図１３は、端末装置１００Ｂの変形例である端末装置１００Ｃの構成を示す図である。図１３（ａ）は、端末装置１００Ｃの透過斜視図である。図１３（ｂ）は、端末装置１００Ｃの俯瞰図である。
【０１５８】
図１３に示されるように、端末装置１００Ｃの収容部１６０Ａは、凹部１６１〜１６４を有する。また、端末装置１００Ｃは、前述した操作媒体２００Ａと共に使用される。
【０１５９】
ここで、図９と図１３（ａ）とを対比する。図１３（ａ）では、端末装置１００Ｃの収容部１６０Ａは、凹部１６１〜１６４を更に有する点で、図９の端末装置１００Ｂの収容部１６０と互いに相違する。以下の説明では、図９で示した構成と同等の構成については、説明を省略する。
【０１６０】
図１３に示されるように、凹部１６１〜１６４は、収容部１６０Ａにそれぞれ設けられる。凹部１６１〜１６４の各々は、前述した操作媒体２００Ａの凸部２０１〜２０４の各々にそれぞれ対応する。また、凹部１６１〜１６４の各々は、凸部２０１〜２０４の各々とそれぞれ嵌合する。
【０１６１】
ここで、例えば、図１２に示す操作媒体２００Ａを、図１３に示す端末装置１００Ｃの収容部１６０Ａに収容する場合を想定する。また、図１２（ａ）に示す操作媒体２００Ａの面１に設けられた単数又は複数の識別情報（文字列「Ａ」）を、図１３に示す取得部１１０Ｂにより取得する場合を想定する。
【０１６２】
このとき、例えば、操作媒体２００Ａの凸部２０１を端末装置１００Ｃの凹部１６１に嵌合させ、凸部２０２を凹部１６２に嵌合させ、凸部２０３を凹部１６３に嵌合させ、凸部２０４を凹部１６４に嵌合させる。
【０１６３】
これにより、操作媒体２００Ａの面１は、図１３（ｂ）に示すα方向の向きに配置されることになる。従って、操作媒体２００Ａの面１に設けられた文字列「Ａ」と、図１３（ｂ）に示す取得部１１０Ｂとが互いに向かい合う。
【０１６４】
この結果、取得部１１０Ｂは、操作媒体２００Ａに設けられた単数又は複数の識別情報をより精度良く取得することができる。
【０１６５】
以上に説明したように、本発明の第２の実施の形態における端末装置１００Ｂは、操作媒体２００を収容する収容部１６０を有する。取得部１１０Ｂは、収容部１６０に操作媒体２００が収容されたとき、単数又は複数の識別情報を取得する。
【０１６６】
収容部１６０に操作媒体２００が収容されたときに、取得部１１０Ｂは、単数又は複数の識別情報を取得する。従って、例えば、端末装置１００がコンピュータウイルスに感染したとしても、端末装置１００は、ユーザが意図しない第三者によって不正に遠隔操作されることにより所定の処理を実行することがない。すなわち、端末装置１００は、ユーザが意図しない第三者によって不正に操作されることを防止することができる。
【０１６７】
＜第３の実施の形態＞
図１４を用いて、本発明の第３の実施の形態における端末装置１００Ｄの詳細な構成を説明する。図１４は、端末装置１００Ｄの構成を示すブロック図である。図１４では、図１〜１３で示した各構成要素と同等の構成要素には、図１〜１３で示した符号と同等の符号を付している。
【０１６８】
図１４に示されるように、端末装置１００Ｄは、取得部１１０と、記憶部１２０と、設定部１３０と、制御部１４０Ｂと、表示部１５０と、操作部１８０とを有している。制御部１４０Ｂは、処理実行部１４１Ｂと、比較部１４２Ｂとを含んで構成されている。
【０１６９】
ここで、図１と図１４とを対比する。図１４では、端末装置１００Ｄは、操作部１８０を更に備えた点で、図１に示される端末装置１００と互いに相違する。以下の説明では、図１で示した構成と同等の構成については説明を省略する。
【０１７０】
図１４に示されるように、操作部１８０は、制御部１４０Ｂに接続されている。操作部１８０は、所定の処理を実行させる命令を受け付ける。操作部１８０は、例えば、ボタンキー等であり、ユーザによって操作される。
【０１７１】
制御部１４０Ｂは、操作部１８０の操作結果を受ける。また、制御部１４０Ｂは、記憶部１２０に記憶された単数又は複数の識別情報と、操作部１８０により受け付けられた命令に対応する所定の処理を実行させるための単数又は複数の識別基礎情報を取得する。
【０１７２】
比較部１４２Ｂは、取得部１１０により取得され且つ記憶部１２０に記憶された単数又は複数の識別情報と、記憶部１２０に記憶された単数又は複数の識別基礎情報のうち、操作部１８０により受け付けられた命令に対応する所定の処理を実行させるための識別基礎情報と、を比較する。
【０１７３】
処理実行部１４１Ｂは、比較部１４２Ｂの比較結果に基づいて、操作部１８０により受け付けられた命令に対応する所定の処理を実行する。
【０１７４】
次に、図１５を用いて、端末装置１００Ｄの動作について説明する。図１５は、端末装置１００Ｄの動作フローを示す図である。
【０１７５】
ここでは、第１の実施の形態における端末装置１００と同様に、取得部１１０は、操作媒体２００に設けられた識別情報である文字列「Ａ」を取得するものとする。
【０１７６】
そして、ここでは、ユーザが、操作部１８０を操作することにより、図３に示した所定の処理「アプリケーションＡ起動」を、端末装置１００Ｄに実行させる場合を想定する。
【０１７７】
また、所定の処理と単数又は複数の識別基礎情報との対応関係については、図３を用いて説明した通りである。
【０１７８】
まず、図１５に示されるように、取得部１１０は、操作媒体２００に設けられた単数又は複数の識別情報を取得する（Ｓ４１０）。このＳ４１０の処理は、図４で示したＳ１１０に対応する。
【０１７９】
次に、記憶部１２０が、取得部１１０により取得した単数又は複数の識別情報（文字列「Ａ」）を記憶する（Ｓ４２０）。このＳ４２０の処理は、図４で示したＳ１２０に対応する。
【０１８０】
そして、操作部１８０は、所定の処理（アプリケーションＡ起動）を実行させるための命令を受け付ける（Ｓ４３０）。
【０１８１】
次に、制御部１４０Ｂは、記憶部１２０に記憶された単数又は複数の識別情報（文字列「Ａ」）と、操作部１８０により受け付けられた命令に対応する所定の処理（アプリケーションＡ起動）を実行させるための識別基礎情報（図３の（１）に示す文字列「Ａ」）を取得する（Ｓ４４０）。
【０１８２】
比較部１４２Ｂは、取得部１１０により取得され且つ記憶部１２０に記憶された単数又は複数の識別情報（文字列「Ａ」）と、記憶部１２０に記憶された単数又は複数の識別基礎情報のうち、操作部１８０により受け付けられた命令に対応する所定の処理（アプリケーションＡ起動）を実行させるための識別基礎情報（図３の（１）に示す文字列「Ａ」）と、を比較する（Ｓ４５０）。
【０１８３】
そして、比較部１４２Ｂは、単数又は複数の識別情報（文字列「Ａ」）と、操作部１８０により受け付けられた命令に対応する所定の処理（アプリケーションＡ起動）を実行させるための識別基礎情報（図３の（１）に示す文字列「Ａ」）とが一致するか否かを判断する（Ｓ１５０）。
【０１８４】
ここでは、単数又は複数の識別情報（文字列「Ａ」）と、操作部１８０により受け付けられた命令に対応する所定の処理（アプリケーションＡ起動）を実行させるための識別基礎情報（図３の（１）に示す文字列「Ａ」）とが一致する（Ｓ４６０、ＹＥＳ）。
【０１８５】
そのため、処理実行部１４１Ｂが、操作部１８０により受け付けられた命令に対応する所定の処理（アプリケーションＡ起動）を実行する（Ｓ４７０）。
【０１８６】
一方、単数又は複数の識別情報と、操作部１８０により受け付けられた命令に対応する所定の処理を実行させるための識別基礎情報とが一致しない場合（Ｓ４６０、ＮＯ）、処理実行部１４１Ｂは、何も処理を行わずに動作を終了する。
【０１８７】
以上に説明したように、本発明の第３の実施の形態における端末装置１００Ｄは、所定の処理を実行させる命令を受け付ける操作部１８０を有する。
【０１８８】
比較部１４２Ｂは、取得部１１０により取得され且つ記憶部１２０に記憶された単数又は複数の識別情報と、記憶部１２０に記憶された単数又は複数の識別基礎情報のうち、操作部１８０により受け付けられた命令に対応する所定の処理を実行させるための識別基礎情報と、を比較する。
【０１８９】
処理実行部１４１Ｂは、比較部１４２Ｂの比較結果に基づいて、操作部１８０により受け付けられた命令に対応する所定の処理を実行する。
【０１９０】
これにより、操作部１８０により受け付けられた命令に対応する所定の処理以外は実行されることがないので、端末装置１００Ｄは、ユーザの意図しない所定の処理を実行することがない。
【０１９１】
この結果、端末装置１００Ｄは、ユーザが意図しない第三者によって不正に操作されることを防止でき、且つ誤作動を低減することができる。
【０１９２】
以上、実施の形態を基に本発明を説明した。実施の形態は例示であり、本発明の主旨から逸脱しない限り、上述の実施の形態に対して、様々な変更、増減、組合せを加えてもよい。
【符号の説明】
【０１９３】
１００、１００Ａ、１００Ｂ、１００Ｃ、１００Ｄ    端末装置
１１０、１１０Ａ、１１０Ｂ    取得部
１２０    記憶部
１３０    設定部
１４０、１４０Ａ、１４０Ｂ    制御部
１４１、１４１Ａ、１４１Ｂ    処理実行部
１４２、１４２Ａ、１４２Ｂ    比較部
１５０    表示部
１６０、１６０Ａ    収容部
１６１、１６２、１６３、１６４    凹部
１７０    検出部
１８０    操作部
２００、２００Ａ    操作媒体
２０１、２０２、２０３、２０４    凸部
【図１】
2015165360.tif 000003
【図２】
2015165360.tif 000004
【図３】
2015165360.tif 000005
【図４】
2015165360.tif 000006
【図５】
2015165360.tif 000007
【図６】
2015165360.tif 000008
【図７】
2015165360.tif 000009
【図８】
2015165360.tif 000010
【図９】
2015165360.tif 000011
【図１０】
2015165360.tif 000012
【図１１】
2015165360.tif 000013
【図１２】
2015165360.tif 000014
【図１３】
2015165360.tif 000015
【図１４】
2015165360.tif 000016
【図１５】
2015165360.tif 000017